(57)【要約】  【課題】  子供にアイデアを募集し申請を受け、登録を認める子供アイデア募集システムの提供。  【解決手段】  子供の個人情報と該子供が使用を希望するハンドルネームとを入手し、該子供に対し識別番号を付与すると共に該識別番号と関連付けさせた前記ハンドルネームの使用を許可する個人情報処理手段と、前記個人情報処理手段により使用が許可されたハンドルネームと、前記テーマの名称と、申請に係る前記子供の前記アイデアに係る画像データとを含む申請必要情報を受信し、前記申請必要情報に不備がない場合には該申請必要情報の受信年月日を申請年月日情報として記録すると共に該申請必要情報につき登録を認め、登録年月日情報と登録番号とを含む登録情報を申請者である子供に付与する登録処理手段と、前記申請必要情報と前記登録情報とを関連づけて保存し格納する登録情報格納手段と、前記登録情報格納手段に格納された前記申請必要情報及び前記登録情報における少なくとも一部を公示する登録情報公示手段と、を備えた子供アイデア募集システム。【選択図】図１
2011253473.tif 000002
【特許請求の範囲】
【請求項１】
任意のテーマに係るアイデアを子供に募集し、子供による前記テーマに係るアイデアの申請を受け、前記申請につき、所定の情報が提供された場合には登録を認め、提供されない場合には登録を拒絶する子供アイデア募集システムであって、
クライアント端末に表示された入力画面に入力された、子供の個人情報と該子供が使用を希望するハンドルネームとを入手し、該子供に対し識別番号を付与すると共に該識別番号と関連付けさせた前記ハンドルネームの使用を許可する一方、該ハンドルネームが既に登録済の場合には、該子供に対し識別番号を付与すると共に該識別番号と関連付けさせた未登録に係る他のハンドルネームの使用を許可する個人情報処理手段と、
前記個人情報処理手段により使用が許可されたハンドルネームと、前記テーマの名称と、申請に係る前記子供の前記アイデアに係る画像データとを含む申請必要情報を受信し、前記申請必要情報に不備がない場合には該申請必要情報の受信年月日を申請年月日情報として記録すると共に該申請必要情報につき登録を認め、登録年月日情報と登録番号とを含む登録情報を申請者である子供に付与する一方、前記申請必要情報に不備がある場合には登録を拒絶する登録処理手段と、
前記申請必要情報と前記登録情報とを関連づけて保存し格納する登録情報格納手段と、
前記登録情報格納手段に格納された前記申請必要情報及び前記登録情報における少なくとも一部を公示する登録情報公示手段と、
を備えたことを特徴とする子供アイデア募集システム。
【請求項２】
前記登録情報格納手段が格納する前記申請必要情報及び前記登録情報を検索処理可能な登録情報検索処理手段を備えた請求項１に記載の子供アイデア募集システム。
【請求項３】
前記登録情報公示手段が、前記登録情報検索処理手段により検索された結果を公示可能な請求項１から２のいずれかに記載の子供アイデア募集システム。
【請求項４】
前記テーマに係るアイデアの中から評価者が選択を行うために、前記登録情報格納手段に格納された登録情報を該評価者に送信すると共に、該評価者が選択評価した前記登録情報を該評価者から入手し、該登録情報を選択評価されたものとして前記登録格納手段に格納させる登録情報評価手段を更に有してなり、
前記登録情報公示手段が、前記登録情報評価手段に前記登録情報格納手段に格納された前記登録情報を公示可能な請求項１から３のいずれかに記載の子供アイデア募集システム。
【請求項５】
任意のテーマに係るアイデアを子供に募集し、子供による前記テーマに係るアイデアの申請を受け、前記申請につき、所定の情報が提供された場合には登録を認め、提供されない場合には登録を拒絶する子供アイデア募集方法であって、
クライアント端末に表示された入力画面に入力された、子供の個人情報と該子供が使用を希望するハンドルネームとを入手し、該子供に対し識別番号を付与すると共に該識別番号と関連付けさせた前記ハンドルネームの使用を許可する一方、該ハンドルネームが既に登録済の場合には、該子供に対し識別番号を付与すると共に該識別番号と関連付けさせた未登録に係る他のハンドルネームの使用を許可する個人情報処理ステップと、
前記個人情報処理ステップにより使用が許可されたハンドルネームと、前記テーマの名称と、申請に係る前記子供の前記アイデアに係る画像データとを含む申請必要情報を受信し、前記申請必要情報に不備がない場合には該申請必要情報の受信年月日を申請年月日情報として記録すると共に該申請必要情報につき登録を認め、登録年月日情報と登録番号とを含む登録情報を申請者である子供に付与する一方、前記申請必要情報に不備がある場合には登録を拒絶する登録処理ステップと、
前記申請必要情報と前記登録情報とを関連づけて保存し格納する登録情報格納ステップと、
前記申請必要情報及び前記登録情報における少なくとも一部を公示する登録情報公示ステップと、を含むことを特徴とする子供アイデア募集方法。
【発明の詳細な説明】
【技術分野】
【０００１】
本発明は、テーマ設定した製品等に関する子供のアイデアを募集し、募集に係るアイデアにつき子供による申請を認めて登録をし、それをデータベース化すると共に公示可能である子供アイデア募集システム及び子供アイデア募集方法に関する。
【背景技術】
【０００２】
現在、日本では、理系離れが叫ばれ、ものづくりに対する興味が失われつつある。このことは、技術立国、知財立国を標榜する日本にとって大きな問題である。これは、子供の頃からの知財創出の経験が不足し、アイデアを創出することの楽しさや、他人のアイデアを尊重することの大切さを学ばせる教育機会の欠如にその問題の一因があると考えられる。また、人が考え出した価値物である知的財産を創出することは、価値を創造する仕事をすることとも同義ということができ、子供の頃からの知財創出の楽しい体験は、ニートの増加を抑制することにも繋がるものと考えられる。
このため、子供の頃からの早い時期に知財創出の楽しい経験をし、知財創出の大切さを感覚的に学ばせるというアプローチにより、子供たちに知財マインドを育成していくことが、資源に乏しく、技術立国、知財立国で国力を維持しなければならない日本においては極めて重要である。
【０００３】
また、近年のパソコン、携帯電話、ゲーム機等の急速な普及と、インターネットの利用機会の増大により、小学生などの子供でもパソコン等の端末からインターネットを使用する割合が急増している。その結果、小学生が著作権などの知的財産権を侵害してしまうリスクも急増しているのが現状である。
このため、子供の頃からの早い時期に知財保護の大切さを感覚的に学ばせるというアプローチにより、子供たちに知財マインドを育成していくことが、知財先進国として国力を維持しなければならない日本においては極めて重要である。
【０００４】
一方、企業による社会貢献（ＣＳＲ）が重視されるようになってきており、各企業においては各種のＣＳＲ活動が可能であるが、事業活動と密接なＣＳＲ活動を行いたいというニーズが強まってきている。
【０００５】
しかしながら、現在までのところ、日本においては、子供たちが知財創出の主体となって、知財創出の楽しさ、知財保護の仕組み（システム、ルール）、知財保護の大切さなどを感覚的に学ばせることができる仕組みは皆無といっても過言ではない。また、このような知財創出を行う子供たちを、企業が事業活動に密接にリンクした形のＣＳＲ活動によってサポートできるような仕組みも皆無である。
【発明の概要】
【発明が解決しようとする課題】
【０００６】
本発明は、従来における諸問題を解決し、以下の目的を達成することを課題とする。即ち、本発明は、子供の頃からの早い時期に知財創出の楽しい経験をし、知財創出と知財保護の大切さを感覚的に学ばせるというアプローチにより、子供たちに知財マインドを育成していくことが可能な子供アイデア募集システム及び子供アイデア募集方法を提供し、更には該子供アイデア募集システム及び子供アイデア募集方法に企業がＣＳＲ活動の一環として関与することにより、各企業において、子供達に対し、新たなプロモーション、新たなマーケティング、新たなリクルーティングを展開することができるようにもなり、少子高齢化が進む日本においては、少ない子供達に向けた有効かつ画期的な企業活動を展開することが可能な子供アイデア募集システム及び子供アイデア募集方法を提供を提供することを目的とする。
【課題を解決するための手段】
【０００７】
前記課題を解決するための手段としては、以下の通りである。即ち、
＜１＞  任意のテーマに係るアイデアを子供に募集し、子供による前記テーマに係るアイデアの申請を受け、前記申請につき、所定の情報が提供された場合には登録を認め、提供されない場合には登録を拒絶する子供アイデア募集システムであって、
クライアント端末に表示された入力画面に入力された、子供の個人情報と該子供が使用を希望するハンドルネームとを入手し、該子供に対し識別番号を付与すると共に該識別番号と関連付けさせた前記ハンドルネームの使用を許可する一方、該ハンドルネームが既に登録済の場合には、該子供に対し識別番号を付与すると共に該識別番号と関連付けさせた未登録に係る他のハンドルネームの使用を許可する個人情報処理手段と、
前記個人情報処理手段により使用が許可されたハンドルネームと、前記テーマの名称と、申請に係る前記子供の前記アイデアに係る画像データとを含む申請必要情報を受信し、前記申請必要情報に不備がない場合には該申請必要情報の受信年月日を申請年月日情報として記録すると共に該申請必要情報につき登録を認め、登録年月日情報と登録番号とを含む登録情報を申請者である子供に付与する一方、前記申請必要情報に不備がある場合には登録を拒絶する登録処理手段と、
前記申請必要情報と前記登録情報とを関連づけて保存し格納する登録情報格納手段と、
前記登録情報格納手段に格納された前記申請必要情報及び前記登録情報における少なくとも一部を公示する登録情報公示手段と、
を備えたことを特徴とする子供アイデア募集システムである。
前記＜１＞に記載の子供アイデア募集システムにおいては、前記個人情報処理手段が、クライアント端末に表示された入力画面に入力された、子供の個人情報と該子供が使用を希望するハンドルネームとを入手し、該子供に対し識別番号を付与すると共に該識別番号と関連付けさせた前記ハンドルネームの使用を許可する。その一方、該ハンドルネームが既に登録済の場合には、該子供に対し識別番号を付与すると共に該識別番号と関連付けさせた未登録に係る他のハンドルネームの使用を許可する。そして、前記登録処理手段が、前記個人情報処理手段により使用が許可されたハンドルネームと、前記テーマの名称と、申請に係る前記子供の前記アイデアに係る画像データとを含む申請必要情報を受信し、前記申請必要情報に不備がない場合には該申請必要情報の受信年月日を申請年月日情報として記録する。それと共に該申請必要情報につき登録を認め、登録年月日情報と登録番号とを含む登録情報を申請者である子供に付与する。その一方、前記申請必要情報に不備がある場合には登録を拒絶する。そして、前記登録情報格納手段が、前記申請必要情報と前記登録情報とを関連づけて保存し格納する。そして、前記登録情報公示手段が、前記登録情報格納手段に格納された前記申請必要情報及び前記登録情報における少なくとも一部を公示する。以上により、当該子供アイデア募集システムにおいて募集された前記テーマに関して子供自身が考えたアイデアを好きなときに好きなだけ申請することができ、また申請されたアイデアは当該システム上で登録されて公示される。そして、公示された登録情報を誰でも閲覧することができる。
【０００８】
＜２＞  前記登録情報格納手段が格納する前記申請必要情報及び前記登録情報を検索処理可能な登録情報検索処理手段を備えた前記＜１＞に記載の子供アイデア募集システムである。
前記＜２＞に記載の子供アイデア募集システムにおいては、更に前記登録情報検索処理手段が、前記登録情報格納手段が格納する前記申請必要情報及び前記登録情報を検索処理可能である。このため、誰でも前記登録情報等を検索することができる。
＜３＞  前記登録情報公示手段が、前記登録情報検索処理手段により検索された結果を公示可能な前記＜１＞から＜２＞のいずれかに記載の子供アイデア募集システムである。
前記＜３＞に記載の子供アイデア募集システムにおいては、前記登録情報公示手段が、前記登録情報検索処理手段により検索された結果を公示可能である。このため、誰でも前記登録情報等を検索した結果を閲覧することができる。
＜４＞  前記テーマに係るアイデアの中から評価者が選択を行うために、前記登録情報格納手段に格納された登録情報を該評価者に送信すると共に、該評価者が選択評価した前記登録情報を該評価者から入手し、該登録情報を選択評価されたものとして前記登録格納手段に格納させる登録情報評価手段を更に有してなり、
前記登録情報公示手段が、前記登録情報評価手段に前記登録情報格納手段に格納された前記登録情報を公示可能な前記＜１＞から＜３＞のいずれかに記載の子供アイデア募集システムである。
前記＜４＞に記載の子供アイデア募集システムにおいては、前記登録情報評価手段が、前記テーマに係るアイデアの中から評価者が選択を行うために、前記登録情報格納手段に格納された登録情報を該評価者に送信する。それと共に、該評価者が選択評価した前記登録情報を該評価者から入手し、該登録情報を選択評価されたものとして前記登録格納手段に格納させる。そして、前記登録情報公示手段が、前記登録情報評価手段に前記登録情報格納手段に格納された前記登録情報を公示可能である。このため、社会貢献（ＣＳＲ）活動の一環として関与する企業が、子供達による前記アイデアを評価する。評価された子供達にとっては、それが喜びとなるだけでなく、次なるアイデア創出のモチベーションとなり、評価した企業においては、子供たちの知財マインド育成に関与できるので立派な社会貢献（ＣＳＲ）活動となる。また、評価企業においては、製品開発、マーケティング等のヒントともなり得る。
＜５＞  前記子供アイデア募集システムがインターネットを通じて前記クライアント端末に接続された前記＜１＞から＜４＞のいずれかに記載の子供アイデア募集システムである。
前記＜５＞に記載の子供アイデア募集システムにおいては、インターネットを通じて前記クライアント端末に接続されているので、子供達は自宅のパソコンのみならず、学校のパソコン、携帯電話機等の端末からも操作したりＷｅｂサイトにアクセスすることができ、子供達以外の企業等も同様に手軽に当該Ｗｅｂサイトにアクセスすることができる。
【０００９】
＜６＞  任意のテーマに係るアイデアを子供に募集し、子供による前記テーマに係るアイデアの申請を受け、前記申請につき、所定の情報が提供された場合には登録を認め、提供されない場合には登録を拒絶する子供アイデア募集方法であって、
クライアント端末に表示された入力画面に入力された、子供の個人情報と該子供が使用を希望するハンドルネームとを入手し、該子供に対し識別番号を付与すると共に該識別番号と関連付けさせた前記ハンドルネームの使用を許可する一方、該ハンドルネームが既に登録済の場合には、該子供に対し識別番号を付与すると共に該識別番号と関連付けさせた未登録に係る他のハンドルネームの使用を許可する個人情報処理ステップと、
前記個人情報処理ステップにより使用が許可されたハンドルネームと、前記テーマの名称と、申請に係る前記子供の前記アイデアに係る画像データとを含む申請必要情報を受信し、前記申請必要情報に不備がない場合には該申請必要情報の受信年月日を申請年月日情報として記録すると共に該申請必要情報につき登録を認め、登録年月日情報と登録番号とを含む登録情報を申請者である子供に付与する一方、前記申請必要情報に不備がある場合には登録を拒絶する登録処理ステップと、
前記申請必要情報と前記登録情報とを関連づけて保存し格納する登録情報格納ステップと、
前記申請必要情報及び前記登録情報における少なくとも一部を公示する登録情報公示ステップと、を含むことを特徴とする子供アイデア募集方法である。
前記＜６＞に記載の子供アイデア募集方法では、前記個人情報処理ステップにおいて、クライアント端末に表示された入力画面に入力された、子供の個人情報と該子供が使用を希望するハンドルネームとが入手され、該子供に対し識別番号を付与すると共に該識別番号と関連付けさせた前記ハンドルネームの使用が許可される。その一方、該ハンドルネームが既に登録済の場合には、該子供に対し識別番号が付与されると共に該識別番号と関連付けさせた未登録に係る他のハンドルネームの使用が許可される。そして、前記登録処理ステップにおいて、前記個人情報処理ステップにより使用が許可されたハンドルネームと、前記テーマの名称と、申請に係る前記子供の前記アイデアに係る画像データとを含む申請必要情報が受信され、前記申請必要情報に不備がない場合には該申請必要情報の受信年月日を申請年月日情報として記録される。それと共に該申請必要情報につき登録が認められ、登録年月日情報と登録番号とを含む登録情報が申請者である子供に付与される。その一方、前記申請必要情報に不備がある場合には登録が拒絶される。そして、前記登録情報格納ステップが、前記申請必要情報と前記登録情報とが関連づけて保存され格納される。そして、前記登録情報公示ステップが、前記申請必要情報及び前記登録情報における少なくとも一部が公示される。以上により、当該子供アイデア募集方法において募集された前記テーマに関して子供自身が考えたアイデアを好きなときに好きなだけ申請することができ、また申請されたアイデアは登録されて公示される。そして、公示された登録情報を誰でも閲覧することができる。
【００１０】
＜７＞  前記申請必要情報及び前記登録情報を検索処理する登録情報検索処理ステップを含む前記＜６＞に記載の子供アイデア募集方法である。
前記＜７＞に記載の子供アイデア募集方法では、前記登録情報検索処理ステップにおいて、前記申請必要情報及び前記登録情報が検索処理される。このため、誰でも前記登録情報等を検索することができる。
＜８＞  前記登録情報公示ステップにおいて、前記登録情報検索処理ステップにより検索された結果も公示可能である前記＜６＞から＜７＞のいずれかに記載の子供アイデア募集方法である。
前記＜８＞に記載の子供アイデア募集方法では、前記登録情報公示ステップにおいて、前記登録情報検索処理ステップにより検索された結果も公示可能とされる。このため、誰でも前記登録情報等を検索した結果を閲覧することができる。
＜９＞  前記テーマに係るアイデアの中から評価者が選択を行うために、前記登録情報を該評価者に送信すると共に、該評価者が選択評価した前記登録情報を該評価者から入手し、該登録情報を選択評価されたものとして格納する登録情報評価ステップを更に含み、
前記登録情報公示ステップにおいて、前記登録情報評価ステップにおいて格納された前記登録情報を公示可能である前記＜６＞から＜８＞のいずれかに記載の子供アイデア募集方法である。
前記＜９＞に記載の子供アイデア募集方法では、更に前記登録情報評価ステップにおいて、前記テーマに係るアイデアの中から評価者が選択を行うために、前記登録情報が該評価者に送信されると共に、該評価者が選択評価した前記登録情報が該評価者から入手され、該登録情報が選択評価されたものとして格納される。そして、前記登録情報公示ステップにおいて、前記登録情報評価ステップにおいて格納された前記登録情報が公示可能である。このため、社会貢献（ＣＳＲ）活動の一環として関与する企業が、子供達による前記アイデアを評価する。評価された子供達にとっては、それが喜びとなるだけでなく、次なるアイデア創出のモチベーションとなり、評価した企業においては、子供たちの知財マインド育成に関与できるので立派な社会貢献（ＣＳＲ）活動となる。また、評価企業においては、製品開発、マーケティング等のヒントともなり得る。
＜１０＞  前記アイデアの募集がインターネットを通じて行われる前記＜６＞から＜９＞のいずれかに記載の子供アイデア募集方法である。
前記＜１０＞に記載の子供アイデア募集方法では、前記アイデアの募集がインターネットを通じて行われるので、子供達は自宅のパソコンのみならず、学校のパソコン、携帯電話機等の端末からも操作したりＷｅｂサイトにアクセスすることができ、子供達以外の企業等も同様に手軽に当該Ｗｅｂサイトにアクセスすることができる。
【発明の効果】
【００１１】
本発明によると、従来における諸問題を解決することができ、子供の頃からの早い時期に知財創出の楽しい経験をし、知財創出と知財保護の大切さを感覚的に学ばせるというアプローチにより、子供たちに知財マインドを育成していくことが可能な子供アイデア募集システム及び子供アイデア募集方法を提供することができる。
また、本発明の子供アイデア募集システム及び子供アイデア募集方法に企業がＣＳＲ活動の一環として関与すれば、企業にとっては、子供達に対し、新たなプロモーション、新たなマーケティング、新たなリクルーティングを展開することができるようにもなり、少子高齢化が進む日本においては、少ない子供達に向けた有効かつ画期的な企業活動を展開することができるようにもなる。
【図面の簡単な説明】
【００１２】
【図１】図１は、本発明の子供アイデア募集システム及び子供アイデア募集方法の一例を図示した概略説明図である。
【図２】図２は、本発明の子供アイデア募集システム及び子供アイデア募集方法におけるＷｅｂサーバ及び内部データベース（ＤＢ）サーバの概略説明図である。
【発明を実施するための形態】
【００１３】
本発明の子供アイデア募集システムは、任意のテーマに係るアイデアを子供に募集し、子供による前記テーマに係るアイデアの申請を受け、前記申請につき、所定の情報が提供された場合には登録を認め、提供されない場合には登録を拒絶する子供アイデア募集システムであり、前記個人情報処理手段と、前記登録処理手段と、前記登録情報格納手段と、前記登録情報公示手段とを少なくとも有し、更に必要に応じて、前記登録情報検索処理手段、前記登録情報評価手段などのその他の手段を有してなる。
本発明の子供アイデア募集方法は、任意のテーマに係るアイデアを子供に募集し、子供による前記テーマに係るアイデアの申請を受け、前記申請につき、所定の情報が提供された場合には登録を認め、提供されない場合には登録を拒絶する子供アイデア募集方法であり、前記個人情報処理ステップと、前記登録処理ステップと、前記登録情報格納ステップと、前記登録情報公示ステップとを少なくとも含み、更に必要に応じて、前記登録情報検索処理ステップ、前記登録情報評価ステップなどのその他の工程を含む。
なお、該子供アイデア募集方法は、本発明の前記子供アイデア募集システムにより好適に実施することができ、例えば、前記個人情報処理ステップは前記個人情報処理手段により実施でき、前記登録処理ステップは前記登録処理手段により実施でき、前記登録情報格納ステップは前記登録情報格納手段により実施でき、前記登録情報公示ステップは前記登録情報公示手段により実施でき、前記登録情報検索処理ステップは前記登録情報検索処理手段により実施でき、前記登録情報評価ステップは前記登録情報評価手段により実施でき、前記その他の工程は前記その他の手段により実施できる。
【００１４】
図１を参照しながら、本発明の子供アイデア募集システムの一例を説明し、該説明を通じて本発明の子供アイデア募集方法についても明らかにする。
子供アイデア募集システム１０は、本出願人が商標登録出願をしている、商標「ひらめきチャンピオン」という名称で運営するＷｅｂサイトのシステムであり、インターネット網に専用ファイヤーウォールを介してアクセス可能に接続されたＷｅｂサーバと、該Ｗｅｂサーバとアクセス可能に接続された内部データベース（ＤＢ）サーバとを有する。なお、この実施例では、前記Ｗｅｂサーバが専用ファイヤーウォールを介してインターネット網に接続されているが、前記ファイヤーウォールは汎用のものでもよいし、なくてもよい。外部からは前記Ｗｅｂサーバーには自由にアクセスすることができるが、前記内部データベース（ＤＢ）サーバには外部からは直接アクセスすることができない。
【００１５】
図２に示すように、前記Ｗｅｂサーバは、前記インターネット網に接続された各クライアント端末に対し、該クライアント端末が該Ｗｅｂサーバにアクセスしてきたときに、入力画面情報及び登録情報公示画面情報を提示可能である。具体的には、該Ｗｅｂサーバは、前記個人情報処理手段と、前記登録処理手段と、前記登録情報公示手段と、前記登録情報検索処理手段と、前記登録情報評価手段とを有している。そして、これらの各手段は、前記Ｗｅｂサーバ上のプログラムにより前記各手段として機能させることができる。また、前記内部ＤＢサーバは、前記クライアント端末から入力された申請必要情報、個人情報、登録情報等を前記Ｗｅｂサーバで処理し、これらを格納可能である。具体的には、該内部ＤＢサーバは、前記登録情報格納手段を有している。
【００１６】
前記個人情報処理手段としては、以下の機能を有する限り特に制限はなく、目的に応じて適宜選択することができる。即ち、クライアント端末に表示された入力画面に入力された、子供の個人情報と該子供が使用を希望するハンドルネームとを通信により入手し、該子供に対し識別番号を付与すると共に該識別番号と関連付けさせた前記ハンドルネームの使用を通信により許可する。その一方、該ハンドルネームが既に登録済の場合には、該子供に対し識別番号を付与すると共に該識別番号と関連付けさせた未登録に係る他のハンドルネームの使用を通信により許可するという機能である。
【００１７】
前記クライアント端末としては、端末として機能する限り特に制限はなく、例えば、パーソナルコンピュータ（パソコン）、携帯電話機などが挙げられる。
なお、前記クライアント端末と前記Ｗｅｂサーバとの接続は、インターネット（網）、イントラネット（網）、電話回線（網）などを通じて行うことができるが、これらの中でも任意多数の子供達からアイデアを募集する観点からは、インターネット（網）を通じて行うのが好ましい。
【００１８】
前記クライアント端末に表示される前記入力画面（専用画面）は、前記Ｗｅｂサーバにアクセスした際に表示されるものであり、子供自身があるいは親が、該子供の個人情報と、該子供アイデア募集システムにおいて使用を希望するハンドルネームとを入力するためだけに用いられる。
前記子供の個人情報としては、特に制限はなく目的に応じて適宜選択することができるが、例えば、氏名、年齢、住所、性別、小中高の別、学年、連絡先などが挙げられる。なお、前記子供としては、例えば、幼稚園児、小学生、中学生、高校生などが挙げられ、これらのようにセグメントを分けて前記子供アイデア募集システムを運営することもできる。
前記ハンドルネームは、該子供アイデア募集システムにおいてアイデアを申請する申請者となる子供自身が勝手に決めた該システム上の名前（ニックネーム）である。該ハンドルネームは、一度選択されるとその特定の子供の固有のものとして使用されるため、同一名が重複して使用を認められることはない。このため、前記Ｗｅｂサーバは、前記入力画面から必要な前記子供の個人情報が入力されると、前記入力画面から入力された前記ハンドルネームが既に登録されているハンドルネームか否かを確認し、未登録のハンドルネームである場合には、該子供に識別番号を付与すると共に該ハンドルネームの使用を該子供に許可する。
前記識別番号としては、特に制限はなく目的に応じて適宜選択することができ、例えば、複数文字からなる連続番号、数字とアルファベット等の文字や記号との組合せなどが挙げられる。
なお、このとき、前記個人情報及び前記ハンドルネームと、前記識別番号とは互いに関連付けされるため、以降は、前記個人情報、前記ハンドルネーム、前記識別番号のいずれによっても、該子供を特定することができるので、子供は個人情報を開示することなくアイデアの申請を行うことができるようになる。
【００１９】
前記登録処理手段としては、以下の機能を有する限り特に制限はなく、目的に応じて適宜選択することができる。即ち、前記個人情報処理手段により使用が許可された前記ハンドルネームと、アイデア募集に係る前記テーマの名称と、申請に係る前記子供の前記アイデアに係る画像データとを含む申請必要情報を受信し、前記申請必要情報に不備がない場合には該申請必要情報の受信年月日を申請年月日情報として記録する。それと共に該申請必要情報につき登録を認め、登録年月日情報と登録番号とを含む登録情報を申請者である子供に付与する。その一方、前記申請必要情報に不備がある場合には登録を拒絶するという機能である。
【００２０】
前記申請必要情報は、前記クライアント端末に表示された申請画面を用いて前記Ｗｅｂサーバに通信し、該Ｗｅｂサーバが受信するようにすることができる。
なお、該子供アイデア募集システムにおいて募集をするアイデアのテーマとしては、特に制限はなく目的に応じて選択することができるが、知財創出に適したテーマが選択される。例えば、製品開発に関する技術的なアイデア（工夫に関するもの）の募集の場合には、靴、車、傘、携帯電話、薬、食品、洋服、スポーツ用品、玩具、文房具、自転車、生活用品などの各種製品が挙げられる。また、製品デザインに関するアイデアの募集の場合には、上述した各種製品のデザインなどが挙げられる。また、商標に関するアイデアの募集の場合には各種のマークが、キャラクターイラストなどの著作物に関するアイデア募集の場合には各種の漫画・アニメのイラストが挙げられる。
前記テーマ及びテーマの名称は、子供のセグメントに対応して広狭をもって設定することができ、例えば、小学生に対しては「未来の乗り物」、「あったら嬉しい食べ物」と設定する場合に、中学生に対しては「未来の自動車」、「あったら嬉しいケーキ」などのように下位概念で対象物を限定して設定することもできる。
前記テーマは、該子供アイデア募集システムの運営者が任意の期間を募集期間として設定することができ、例えば、毎月新しいテーマを設定してもよいし、２ヶ月毎、半年毎などで新しいテーマを設定してもよい。
【００２１】
前記申請に係る前記子供の前記アイデアに係る画像データとしては、画像データである限り、特に制限はなく目的に応じて適宜選択することができ、例えば、写真等のデータ（ＪＰＥＧ、ＧＩＦ、ＰＮＧなど）、ファイル文書等のデータ（ｄｏｃ、ｘｓｌ、ｐｐｔ，ｐｄｆなど）、ＦＡＸ・郵送等の送付物を運営者が電子情報化したデータなどが挙げられる。なお、前記画像データには、絵等の画像以外に説明文等の文字情報が含まれていてもよい。
【００２２】
前記ハンドルネームと前記テーマの名称と前記画像データとを含む前記申請必要情報を受信した前記Ｗｅｂサーバは、該申請必要情報に不備がないか否かを確認し、不備がない場合には該申請必要情報の受信年月日を申請年月日情報として記録する（前記申請必要情報がＷｅｂサーバに受信された際に該Ｗｅｂサーバに年月日情報を記録する）。この記録情報は、前記登録情報格納手段を含む前記内部ＤＢサーバに格納保存される。そして、それと共に該画像データを含む前記申請必要情報につき登録を認め、登録年月日情報と登録番号とを含む登録情報を申請者である子供に通信により付与する（前記申請画面に表示する）。なお、前記申請必要情報に不備がある場合には、前記Ｗｅｂサーバは、その登録を拒絶する。
なお、前記登録番号としては、特に制限はなく目的に応じて適宜選択することができるが、例えば、１番からの通し連番、連番数字と文字等との組合せ、などが挙げられる。また、前記登録年月日は、前記申請必要情報に不備がない場合における該申請必要情報を前記Ｗｅｂサーバが受信した日の年月日情報である。
【００２３】
前記登録情報格納手段としては、前記申請必要情報と前記登録情報とを関連づけて保存し格納することができる機能を有する限り、特に制限はなく目的に応じて適宜選択することができ、例えば、ＤＢサーバとして機能するものが挙げられる。なお、該登録情報格納手段は、格納保存している情報データにつき自動的にバックアップをとることができるのが好ましい。
【００２４】
前記登録情報公示手段としては、前記登録情報格納手段に格納された前記申請必要情報及び前記登録情報における少なくとも一部を公示することができる機能を有する限り、特に制限はなく目的に応じて適宜選択することができる。
なお、本発明においては、前記登録情報公示手段が、前記登録情報検索処理手段により、前記登録情報格納手段により格納された前記申請必要情報と前記登録情報とを適宜検索処理した状態で公示（表示）可能であるのが好ましい。例えば、前記登録情報公示手段に公示（表示）される情報が、前記登録情報検索処理手段により、登録年月日順だけでなく、前記ハンドルネーム毎に、前記テーマ毎にどのようなものが登録されているかを検索しその結果を公示（表示）可能であるのが好ましい。
【００２５】
前記登録情報評価手段としては、以下の機能を有する限り特に制限はなく、目的に応じて適宜選択することができる。即ち、前記テーマに係るアイデアの中から評価者が選択を行うために、前記登録情報格納手段に格納された登録情報を該評価者に送信する。それと共に、該評価者が選択評価した前記登録情報を該評価者から入手し、該登録情報を選択評価されたものとして前記登録格納手段に格納させるという機能である。
なお、前記評価者としては、特に制限はなく目的に応じて適宜選択することができるが、例えば、社会貢献（ＣＳＲ）活動の一環として該子供アイデア募集システムに関与したいと考える企業、学校、その他の組織・団体などが挙げられる。
このとき、前記登録情報公示手段が、前記登録情報評価手段に前記登録情報格納手段に格納された前記登録情報を公示可能であるのが好ましい。このようにすると、社会貢献（ＣＳＲ）活動の一環として関与する企業が、子供達による前記アイデアを評価する。評価された子供達にとっては、それが喜びとなるだけでなく、次なるアイデア創出のモチベーションとなり、評価した企業においては、子供たちの知財マインド育成に関与できるので立派な社会貢献（ＣＳＲ）活動となる。また、評価企業においては、製品開発、マーケティング等のヒントともなり得る点で好ましい。
【００２６】
本発明の子供アイデア募集システム（商標「ひらめきチャンピオン」）においては、前記個人情報処理手段が、前記クライアント端末に表示された前記入力画面に入力された、子供の前記個人情報と該子供が使用を希望する前記ハンドルネームとを入手し、該子供に対し前記識別番号を付与すると共に該識別番号と関連付けさせた前記ハンドルネームの使用を許可する。その一方、該ハンドルネームが既に登録済の場合には、該子供に対し識別番号を付与すると共に該識別番号と関連付けさせた未登録に係る他のハンドルネームの使用を許可する。そして、前記登録処理手段が、前記個人情報処理手段により使用が許可された前記ハンドルネームと、前記テーマの名称と、申請に係る前記子供の前記アイデアに係る画像データとを含む申請必要情報を受信し、前記申請必要情報に不備がない場合には該申請必要情報の受信年月日を申請年月日情報として記録する。それと共に該申請必要情報につき登録を認め、登録年月日情報と登録番号とを含む登録情報を申請者である子供に付与する。その一方、前記申請必要情報に不備がある場合には登録を拒絶する。そして、前記登録情報格納手段が、前記申請必要情報と前記登録情報とを関連づけて保存し格納する。そして、前記登録情報公示手段が、前記登録情報格納手段に格納された前記申請必要情報及び前記登録情報における少なくとも一部を公示する。以上により、当該子供アイデア募集システムにおいて募集された前記テーマに関して子供自身が考えたアイデアを好きなときに好きなだけ申請することができ、また申請されたアイデアは当該システム上で登録されて公示される。そして、公示された登録情報を誰でも閲覧することができる。
そして、前記登録情報評価手段が、前記テーマに係るアイデアの中から評価者が選択を行うために、前記登録情報格納手段に格納された登録情報を該評価者に送信する。それと共に、該評価者が選択評価した前記登録情報を該評価者から入手し、該登録情報を選択評価されたものとして前記登録格納手段に格納させる。このとき、前記登録情報公示手段が、前記登録情報評価手段に前記登録情報格納手段に格納された前記登録情報を公示可能であると、社会貢献（ＣＳＲ）活動の一環として関与する企業が、子供達による前記アイデアを評価する。評価された子供達にとっては、それが喜びとなるだけでなく、次なるアイデア創出のモチベーションとなり、評価した企業においては、子供たちの知財マインド育成に関与できるので立派な社会貢献（ＣＳＲ）活動となる。また、評価企業においては、製品開発、マーケティング等のヒントともなり得る。
以上により、子供の頃からの早い時期に知財創出の楽しい経験をし、知財創出と知財保護の大切さを感覚的に学ばせるというアプローチにより、子供たちに知財マインドを育成していくことが可能な子供アイデア募集システム及び子供アイデア募集方法を提供することができる。また、本発明の子供アイデア募集システム及び子供アイデア募集方法に企業がＣＳＲ活動の一環として関与すれば、企業にとっては、子供達に対し、新たなプロモーション、新たなマーケティング、新たなリクルーティングを展開することができるようにもなり、少子高齢化が進む日本においては、少ない子供達に向けた有効かつ画期的な企業活動を展開することができるようにもなる。
【産業上の利用可能性】
【００２７】
本発明の子供アイデア募集システム及び子供アイデア募集方法は、知財教育の授業、企業におけるＣＳＲ活動、商品開発などに利用することができる。
【符号の説明】
【００２８】
１        インターネット網
２        クライアント端末
３        評価者（企業）端末
１０      子供アイデア募集システム（商標「ひらめきチャンピオン」）
【図１】
2011253473.tif 000003
【図２】
2011253473.tif 000004